(57)【要約】【課題】ＢＣＡ情報記録時の露光補正方法を提供することを目的とする。【解決手段】ユーザーデータ記録領域外のＢＣＡへの記録レーザ制御補正を行い、記録方法としてＢＣＡ情報マークを記録する際に記録ストラテジーを導入することでピットの大きさを制御して再生信号が歪み無く、且つ、大きな再生信号が得られるようにすることができるＢＣＡ情報記録方法及び光ディスクを提供する。【選択図】図９
2006134393.tif 000002
【特許請求の範囲】
【請求項１】
少なくともユーザーデータを記録または再生するためのユーザーデータ領域と、該ユーザーデータ領域外に設けたバーストカッティングエリアを備えた光ディスクに、該光ディスクの管理情報を、該ユーザーデータと異なる変調方式で該バーストカッティングエリアにレーザ光を照射して記録するバーストカッティングエリアの記録方法において、
該光ディスクの管理情報は複数のデータマークからなり、
一つの記録データマークを形成する際、レーザ光をパルス分割して露光することを特徴とするバーストカッティングエリアの記録方法。
【請求項２】
請求項１記載のバーストカッティングエリアの記録方法において、記録データマークの前端及び後端部の分割露光パルスは記録データマークの中央部の分割露光パルス幅より広いパルスにより記録することを特徴とするバーストカッティングエリアの記録方法。
【請求項３】
少なくともユーザーデータを記録または再生するためのユーザーデータ領域と、該ユーザーデータ領域外に設けたバーストカッティングエリアを備えた光ディスクに、該光ディスクの管理情報を、該ユーザーデータと異なる変調方式で該バーストカッティングエリアにレーザ光を照射して記録するバーストカッティングエリアの記録方法において、
該光ディスクの管理情報は複数のデータマークからなり、
一つの記録データマークを形成する際、レーザ光を該記録マーク内で領域分割して露光強度を設定することを特徴とするバーストカッティングエリアの記録方法。
【請求項４】
請求項３記載のバーストカッティングエリアの記録方法において、記録データマークの前端及び後端部の露光強度は記録データマークの中央部の露光強度より大きくして記録することを特徴とするバーストカッティングエリアの記録方法。
【請求項５】
請求項１〜４記載のバーストカッティングエリアの記録方法によりＢＣＡが形成されていることを特徴とする光ディスク。
【請求項６】
少なくともユーザーデータを記録または再生するためのユーザーデータ領域と、該ユーザーデータ領域外に設けたバーストカッティングエリアと、バーストカッティングエリアに記録するレーザ光を設定するためのＢＣＡ情報用試し書き領域を備え、記録層の材料または記録層の反射率が異なる第１の光ディスクと第２の光ディスクに、該光ディスクの管理情報を、該ユーザーデータと異なる変調方式で該バーストカッティングエリアにレーザ光を照射して記録するバーストカッティングエリアの記録方法において、
該ＢＣＡ情報用試し書き領域にテスト記録を行って該バーストカッティングエリアに記録するレーザ光の条件を設定することを特徴とするバーストカッティングエリアの記録方法。
【請求項７】
請求項６記載のバーストカッティングエリアの記録方法において、該光ディスクの管理情報は複数のデータマークからなり、一つの記録データマークを形成する際、レーザ光をパルス分割して露光することを特徴とするバーストカッティングエリアの記録方法。
【請求項８】
請求項７記載のバーストカッティングエリアの記録方法において、記録データマークの前端及び後端部の分割露光パルスは記録データマークの中央部の分割露光パルス幅より広いパルスにより記録することを特徴とするバーストカッティングエリアの記録方法。
【請求項９】
請求項６〜８記載のバーストカッティングエリアの記録方法において、該第１の光ディスクの記録層の材料が有機色素であり、該第２の光ディスクの記録層の材料が相変化材料であることを特徴とするバーストカッティングエリアの記録方法。
【発明の詳細な説明】
【技術分野】
【０００１】
本発明は光ディスクシステム及び光ディスクに係り、特に、バーストカッティングエリアに記録する光ディスク情報やユーザーデータの管理情報の記録方法に関する。
【背景技術】
【０００２】
従来、光ディスク、例えばＤＶＤにおいては、ユーザーデータ領域に書かれたプログラム、データ、アプリケーション情報等のユーザーデータを管理、若しくは、その著作権を保護するために、ユーザーデータ領域外であるシステムリードインにはユーザーデータ領域と同じ変調方式で、バーストカッティングエリア（以下、ＢＣＡという）にはユーザーデータ領域と異なる変調方式で管理情報を記録している。ＢＣＡに関する技術としては、例えば特許文献１、特許文献２などに開示されている。
【０００３】
【特許文献１】特開２０００−１４９４２３号公報
【特許文献２】特開２００１−０４３５３３号公報
【発明の開示】
【発明が解決しようとする課題】
【０００４】
ユーザーデータ領域外にユーザーデータと異なる変調方式で管理情報を記録するＢＣＡにおいて、ＤＶＤ−ＲＡＭ，ＤＶＤ−ＲＷ，ＨＤ−ＤＶＤやＢｌｕ−ｒａｙ  Ｄｉｓｃ（ＢＤ）のような書替媒体であっても、ＢＣＡに記録される情報は、書替ができない不揮発な情報として記録される。
【０００５】
ＢＣＡを設ける光ディスクには記録の方式や材料の違いなどにより、複数種類の光ディスクが存在する。例えば、ＤＶＤにおいては有機色素を記録層の材料に用いたＤＶＤ−Ｒや相変化材料を記録膜に用いたＤＶＤ−ＲＡＭ、ＤＶＤ−ＲＷ等がある。更には、同じＤＶＤ−Ｒであっても、記録層に使用する有機色素の種類により、複数のものが存在し、その特性によりこれらの光ディスクの反射率は異なっている。光ディスクの反射率の違いは、記録前後のコントラストに反映されるので、そのまま記録再生における光ディスクの信号特性に影響する。
【０００６】
ところが、ＢＣＡはシステムリードインを読み出す前に再生する領域であるため、ドライブでは媒体の違いに応じた再生条件を設定することができない。そのため、ＢＣＡには、媒体の種類によらずに同じか、あるいは同程度品質の再生信号特性が得られることが必要である。すなわち、光ディスクの種類に応じてＢＣＡ情報を記録するための最適条件を決める必要がある。
【０００７】
記録するＢＣＡパターンの記録方法によっては、再生したＢＣＡ信号が歪みを発生させたりして振幅値が充分に得られない場合がある。マークが穴としてのピットを形成する場合は、その記録マーク形状等に起因している。該ピットを再生ビームで再生する場合、ピットの中心部とピットの周辺部のそれぞれの再生波長に対する位相相当の距離差があると、反射光は位相干渉により戻り光量に影響を与える。マーク記録により屈折率が変化する場合も同様である。
【０００８】
このとき反射光量が再生信号となり、ピットの形状を最適化しないと期待する再生信号は得られない。
【０００９】
これとは別に、ＢＣＡは通常、ユーザーデータ領域外のミラー領域に形成されるが、塗布型色素を記録層に用いた光ディスクでは、溝やピットのようなパターン形成部と比べて、ミラー領域ではディスク上に積層される色素膜厚が薄くなるため、記録部と未記憶部のコントラストが十分とれず、ＢＣＡ情報が認識できなくなる懸念がある。この場合、ＢＣＡ情報が認識できるように色素膜厚を厚くすると、ユーザーデータ領域の記録特性が確保できなくなる。従って記録したＢＣＡ情報が認識できるようにするためには、ＢＣＡにおいてのみ、色素膜厚を他の領域より厚くする必要性が求められる場合がある。
【００１０】
本発明の目的は、光ディスクドライブシステムにおいて、ＢＣＡ情報が正しく認識できる光ディスク及びＢＣＡ情報の記録方法を提供することである。
【課題を解決するための手段】
【００１１】
前述したように、ＢＣＡ情報は、光ディスクのユーザー情報領域外に不揮発な情報として記録される。このため、一度書いたＢＣＡ情報は修正できないので、最適な条件で記録する必要があるが、ＢＣＡライターの経時変化、媒体の種類だけでなく媒体毎の記録感度のばらつき、ＢＣＡライター間の記録レーザのエネルギー密度差によって最適な条件が異なっている。
【００１２】
そこで、ＢＣＡより内側にＢＣＡ記録条件を設定するためのテスト領域を設け、該テスト領域にて試し書きを行い、ＢＣＡを記録するための条件を設定することで、テスト領域で設定した最適条件でＢＣＡ情報を記録することができ、ＢＣＡ情報の認識不良によって光ディスクが使えなくなることを防止できるようになる。
【００１３】
また、ＢＣＡ情報の記録条件を設定するための試し書きを行うことで、例えば色素記録膜も光ディスクと相変化記録膜の光ディスクのように、異なる種類の光ディスクであっても、ＢＣＡ情報の再生特性がほぼ同一となるようなＢＣＡ情報を記録することが可能になる。
【００１４】
さらに、記録方法としてＢＣＡ情報マークを記録する際に記録ストラテジーを導入することでピットの大きさを制御して再生信号が歪み無く、且つ、大きな再生信号が得られるようにすることができる。
【００１５】
一方、塗布型色素を記録層に用いた光ディスクでは、前述のようにミラー領域の色素膜厚が薄くなっているため、記録したＢＣＡ情報のコントラストが得られず、ＢＣＡ情報が認識できないが、ＢＣＡ及びテスト領域に溝やピットなどのパターンを設けることによって、前記パターン部に色素が埋まり、記録したＢＣＡ情報のコントラストが改善され、正しく認識できるようになる。さらに、前記パターンを記録再生に用いる光ディスクドライブの光学分解能λ／（２・ＮＡ）（ＮＡは光ヘッドの対物レンズの開口数）以下のピッチで形成することで、再生したＢＣＡ情報が、トラッククロス信号によって変動するといった影響を受けなくなる。すなわち、光ディスクドライブからはミラー部と同様に見え、記録したＢＣＡ情報のみのコントラストが信号として再生できる。例えば、記録再生レーザー波長が４０５ｎｍ、レンズＮＡが０．６５の場合、ＢＣＡ及びテスト領域に形成する溝のトラックピッチを３２７ｎｍ以下にすればよく、前記光学分解能以上であっても、この値に近いトラックピッチに設定することで、トラッククロス信号による変動を実質的に影響がない程度まで低減することができる。また、ミラー部ではコントラストが出にくいので、ＢＣＡとテスト領域の間、若しくはＢＣＡとユーザーデータ領域の間にリング上にミラー領域を設けることで、ＢＣＡやテスト領域に書かれたＢＣＡ情報がその領域外まで書けない、若しくはコントラストが取れないので、隣接領域において、クロストークの影響を低減できる。
【発明の効果】
【００１６】
本発明によれば、ＢＣＡへの記録パターンをパルス分割によるストラテジーで記録するので、ＢＣＡ情報記録におけるマーク形状の制御をきめ細かく行うことができ、歪のない再生信号を、大きな信号レベルで得ることができる。
【００１７】
また、ＢＣＡの書き込みの際に試し書きを行い、媒体毎に記録条件を設定するので、媒体の種類によらずにＢＣＡ情報を記録することができ、異なる媒体においても同様品質の再生信号を得ることができる。
【発明を実施するための最良の形態】
【００１８】
以下に、実施例および比較例を上げて本発明をより具体的に説明するが、本発明はその要旨を越えない範囲で、以下の実施例に限定されるものではない。
【００１９】
本発明は、特に塗布型色素を記録層に用いた光ディスクに有効である。記録層に塗布型色素材料を用いた場合、記録層に用いられる色素材料は公知一般のレーザーによる良好な記録、再生に適した色素材料を用いることができ、たとえば例えば、シアニン系色素、スクアリリウム色素、アズレニウム系色素等のポリメチン系色素、フタロシアニン系色素のような大環状アザアネレン系色素、ジチオール系色素、ポルフィセン系化合物、アヌレン系化合物などの光照射により変質する有機物が挙げられる。また、かかる材料は、これらの有機材質を１又は２種以上の混合してもよい。
【００２０】
更には記録再生に用いられるレーザー光が４００ｎｍ近傍の波長である場合、ポルフィセン系化合物、アヌレン系化合物を用いることが望ましい。
【００２１】
これらの有機色素は透明樹脂基板上に直接あるいは他の層を介してキャスト法、スピンコート法、浸漬法等の塗布方法を好適に用い、成膜することができる。塗布溶媒としては、基板を侵さない溶媒であれば特に限定されない。例えば、ジアセトンアルコール、３−ヒドロキシ−２−ブタノン等のケトンアルコール系溶媒、メチルセロソルブ、エチルセロソルブ等のセロソルブ系溶媒、n−ヘキサン、n−ヘプタン等の炭化水素系溶媒、テトラフルオロプロパノール、オクタフルオロペンタノール、ヘキサフルオロブタノール等のパーフルオロアルキルアルコール系溶媒、シクロヘキサン、メチルシクロヘキサン、エチルシクロヘキサン、ジメチルシクロヘキサン、n−ブチルシクロヘキサン、t−ブチルシクロヘキサン、シクロオクタン等の炭化水素系溶媒、ジイソプロピルエーテル、ジブチルエーテル等のエーテル系溶媒、乳酸メチル、乳酸エチル、イソ酪酸メチル等のヒドロキシルエステル系溶媒などが挙げられる。
【００２２】
上記記録層の膜厚は、記録に用いるレーザ光などの記録光のパワーに対する記録感度性能係数を考慮して、波長、光反射層の光学定数、光吸収層の材質に応じて適宜選択される。しかしながらスピンコート法により形成された色素記録媒体の記録層は、塗布面からみて凹んでいるグルーブ部の色素膜厚が厚くなり、ランド部の色素膜厚が薄くなる。したがって、少なくともランド部の色素厚さはレーザー波長λに対し、λ／６ｎ以上が必要であり、そのためにランド部の記録層の膜厚が上記条件に合致するよう色素および色素を溶解する溶媒、または基板上に形成されたグルーブのＵ字溝の形状を最適化する必要がある。これに加え、記録媒体全域において記録再生特性がランド部以上に優れた記録特性を要求されるのは必須であることから、色素の光学定数ｎは１．８以上必要であり、従ってグルーブ部Ｕ字溝凹みの深さは２０ｎｍから１５０ｎｍ、望ましくは５０ｎｍから１２０ｎｍが必要である。
【００２３】
記録膜材料としては塗布型色素以外に、蒸着型色素やスパッタで形成可能な相変化記録膜を用いることも可能である。相変化記録膜のような真空中で成膜可能な記録材料の場合、記録膜の両側にＺｎＳ−ＳｉＯ２などの耐熱誘電体保護膜が必要になるが、塗布型色素のように基板上のパターン形状に依存して埋まることがなく、レーザ波長λに対して、溝深さはλ／８からλ／６程度の光学深さである。
【００２４】
また反射層は、Ａｕ、Ａｇ、Ｃｕ、Ａｌなどの金属またはそれらを主成分とした合金から構成することができが、反射率の波長依存性や耐久性の観点から銀または銀を主成分とする合金が好ましい。成膜方法としては、真空蒸着、スパッタリングおよびイオンプレーティングなどにより成膜することができる。光反射層の膜厚は反射率および熱拡散効率等を考慮し０．０２μｍ〜０．５μｍとすることが好ましい。
【００２５】
光反射層上に形成する保護層としては、アクリル系紫外線硬化樹脂等の硬質性の材料を用いることが好ましい。これは、高温高湿下で長期間保存した場合、保護層の経時的な変形を防止できるためである。通常、光反射層上に直接または他の層を介してスピンコート法により厚み１〜２０μｍで塗布した後、紫外線照射により硬化させて形成される。また、ＤＶＤのようにダミー基板を接着する場合は、色素記録層と反射層を設けた基板の反射層とダミー基板の間をアクリル系紫外線硬化樹脂保護層で直接接着してもよい。
【実施例１】
【００２６】
本発明で使用したライトワンス型光ディスクの構造を図１に示す。直径１２０ｍｍ、厚さ０．６ｍｍのポリカーボネート樹脂基板の表面に、トラックピッチ４００ｎｍのＵ字型溝で、アドレス情報（ＩＤ）で変調したウォブル溝と、一定周期で変調した記録トラックとを予め形成した基板１１１を用意した。このＵ字型溝の溝幅は約２００ｎｍ、深さを１００ｎｍとした。ＢＣＡ近傍のレイアウトを図２に示す。この基板１１１の内周側にある直径４４．６ｍｍから直径４６．３の位置にある幅０．８５ｍｍのＢＣＡ１２２に溝幅１６０ｎｍ、深さ７０ｎｍから９０ｎｍの溝［図３（Ａ）］がトラックピッチ３１０ｎｍで形成され、さらにその内側に幅０．１ｍｍのミラー領域を介して、幅０．３ｍｍのテスト領域１２１にもＢＣＡ１２２と同じ形状の溝が形成されている。この基板１１１上に形成する記録層材料として下記の一般式（化１）で示されるポルフィセン化合物系の色素０．５ｇを用い、この色素をテトラフロロプロパノール４０ｇ に溶解し、これを４０℃下で３０分間超音波分散した後、０．２μｍのフィルターでろ過した。このようにして調整された色素溶液を基板１１１上に、この液を回転数５００ｒｐｍから２０００ｒｐｍに加速しながらスピンコートし、記録層１１４を形成した。次にこの記録層１１４がコートされた基板１１１を８０℃のオーブンで３０分乾燥した後、記録層１１４の上にスパッタリング法により膜厚１００ｎｍのＡｇ合金膜を成膜し、反射層１１７を形成した。さらに、この反射層１１７の上に紫外線硬化樹脂１１９を５μｍの厚さでスピンコートし、これに紫外線を照射して硬化させて、記録層付基板を得た。さらに遅効性紫外線硬化型接着剤１２０をつけ、全く記録層を形成しない以外は同様にして得られたダミー基板１１２と接着し、光情報記録媒体とした。或いは、反射層１１７上の紫外線硬化樹脂１１９を形成せず、紫外線硬化型接着剤１２０'を用いて 直接ダミー基板１１２と接着してもよい。
【００２７】
【化１】
2006134393.tif 000003
【００２８】
次に本発明におけるＢＣＡ情報の記録について説明する。図４に本発明のＢＣＡ記録のフローを示す。ＢＣＡ情報を記録するためのＢＣＡライターは、半径方向に長円のレーザービームを用いて記録する。図５に、ビームスポットとＢＣＡ情報の関係を示す。
【００２９】
まず、(1)前記光ディスクのテスト領域１２１において、ＢＣＡライターのレーザーパワーをステップ状に変化させて、ＢＣＡ情報を記録する。
【００３０】
次に、(2)ＢＣＡライターの光ヘッドで再生したテスト領域１２１のＢＣＡ情報の信号レベルを検出する。
【００３１】
そして、(3)予め基準テスターとの相関を取った信号レベルに該当する再生信号レベルとなる位置のレーザーパワーを、最適値としてＢＣＡライターのメモリーに記憶させる。
【００３２】
そして、(4)ステップ(3)で得られた最適値にレーザーパワーを設定して、ＢＣＡ１２２にＢＣＡ情報を記録する。
【００３３】
このようにして、記録したＢＣＡ情報を基準テスターで測定した再生信号は、図６のようになり、トラッククロス信号の漏れ込みは殆ど見られず、最適なＢＣＡ情報記録レーザーパワーが設定できるため、全てのディスクにおいて、正常にＢＣＡ情報を認識することができた。
【００３４】
このように、ＢＣＡライターのレーザーパワーを、試し書きを行なうことによって最適化するため、ＢＣＡ情報の記録不良は発生しない。また、テスト領域とＢＣＡの間にミラー領域を設けることによって、ミラー部では記録ができない、若しくはレーザ照射された部分とそれ以外の部分のコントラストが非常に小さいため、ＢＣＡ情報に漏れ込むこともなく、かつ、ミラー領域がガードトラックになるので、テスト領域に試し書きしたデータがＢＣＡに記録されることはない。
【実施例２】
【００３５】
実施例１ではＨＤ−ＤＶＤの例を示したが、実施例２では現行の記録型ＤＶＤディスクへの応用例を示す。本発明に用いるＤＶＤ−ＲＷディスク記録膜としては、ＡｇＩｎＳｂＴｅ、ＧｅＳｂＴｅ、ＧｅＢｉＴｅ、ＧｅＢｉＳｂＴｅなどの書替型相変化記録膜が挙げられる。
【００３６】
本発明で使用した書替型光ディスクの構造を図７に示す。直径１２０ｍｍ、厚さ０．６ｍｍのポリカーボネート樹脂基板１５１の表面に、トラックピッチ７４０ｎｍのＵ字型溝で、アドレス情報（ＩＤ）で変調したランドプリピットを、一定周期で蛇行変調した記録トラックに隣接するランド部に形成した基板２１１を用意した。このＵ字型溝の溝幅は約３００ｎｍ、深さを３０ｎｍとした。この基板１５１の内周側にある直径４５．４ｍｍから直径４７．０の位置にある幅０．８ｍｍのＮａｒｒｏｗ ＢＣＡ（以下、ＮＢＣＡという）に溝幅２６０ｎｍ、深さ２０ｎｍの溝がトラックピッチ５００ｎｍで形成され、さらにその内側に幅０．１ｍｍのミラー領域を介して、幅０．２ｍｍのテスト領域にもＮＢＣＡと同じ形状の溝が形成されている。
【００３７】
このディスク基板上に、ＺｎＳ−ＳｉＯ２からなる誘電体保護層１５３（図示せず）を８０ｎｍ、ＧｅＳｂＴｅからなる記録層１５４を１２ｎｍから１５ｎｍ、ＺｎＳ−ＳｉＯ２からなる誘電体保護層１５５（図示せず）を１５ｎｍから２０ｎｍｎｍ、ＡｌＴｉからなる反射層１５６（図示せず）を１００ｎｍの厚みでスパッタ法にて順次積層し、さらにその上に紫外線硬化型樹脂保護膜１５７を塗布、紫外線照射により保護膜を硬化後、接着剤により０．６ｍｍ厚みのダミー基板と貼り合せる。若しくは、紫外線硬化型樹脂接着剤で直接ダミー基板と貼り合せて、紫外線照射により接着剤を硬化、接着してもよい。
【００３８】
前記ディスクを用い、図４のフローでＢＣＡライターのレーザーパワーの最適化をテスト領域を使用して実行し、ＢＣＡにＢＣＡ情報を記録した。最適なＢＣＡ情報記録レーザーパワーが設定できるため、全てのディスクにおいて、正常にＢＣＡ情報を認識することができた。
【実施例３】
【００３９】
ＢＣＡ及びテスト領域を図３（Ｂ）に示すプリピットパターンとした以外は実施例１と同じ方法で、塗布型色素を記録層とする光ディスクを作製した。
【００４０】
前記ディスクを用い、図４のフローでＢＣＡライターのレーザーパワーの最適化をテスト領域を使用して実行し、ＢＣＡにＢＣＡ情報を記録した。最適なＢＣＡ情報記録レーザーパワーが設定できるため、全てのディスクにおいて、正常にＢＣＡ情報を認識することができた。
【実施例４】
【００４１】
ＢＣＡ１２２及びテスト領域１２１を実施例１と同じ方法で、塗布型色素を記録層とする光ディスクを作製した。この光ディスクに対するＢＣＡ情報を記録する際、ＢＣＡ情報マークの記録ストラテジーとして、単なる単一マークとして形成する他、マークを複数に分割して記録する方法、分割した個々のエレメントの記録用レーザ光のエネルギーを制御するもの、マークの前端部・後端部の分割割合を変えたもの、それらを組み合わせたもの等を必要に応じて選択して記録パターンとしたものを作成した。
【００４２】
分割してレーザ照射することで記録するピットの幅制御が可能になる。またマークの前端部・後端部の分割割合を変えることでマーク端の再生信号を最適化し、波形歪みを少なくすることができる。この状態を図９により詳細に説明する。
【００４３】
図９（Ａ）は記録すべきＢＣＡパターンを模式的に示したものである。このパターンはデータを変調したマークであり、再生信号を得るために理想的なマーク幅Ｗを有しているものとする。つまりこの幅であるマークを再生したときに再生信号レベルは大きく得られることになる。マーク部の反射光がマーク周辺部からの反射光とにより位相干渉することで光ヘッド検出信号が得られる場合を想定した。このとき反射光量のマーク部と周辺部の違いによる効果も含まれるが、位相干渉による戻り光変動分が支配的である。
【００４４】
図９（Ｂ）はＢＣＡマーク毎に単一パターンで露光する場合で理想的なパターン幅Ｗが形成したマークの最大幅がＷに等しくなるように露光した状態を示す（Ｂ−１）（Ｂ−２）。マークの前端および後端は露光量不足となりパターン幅は狭くなる。従ってこのパターンを再生した信号は（Ｂ−３）に示すように再生信号の波形はパターンの前後で傾斜が緩い信号になる。
【００４５】
逆に大きめの露光量でパターンを形成した場合を図９（Ｃ）に示す。形成されるパターンを（Ｃ−１）に示す。このパターンを再生した再生信号は（Ｃ−３）に示すようにパターンの前端・後端部の再生では等価的に最大振幅になる領域が存在するが、そのときの再生信号をピークとするスパイク状の再生信号になって得られる。パターンの中央付近は理想パターン幅Ｗより広く、そのため再生信号振幅は低下する。従って（Ｃ−３）のような再生信号になった。
【００４６】
図９（Ｄ）はパルス分割してパターン露光する場合を示す。露光強度は（Ｃ）の場合と同等であるが、パターンの前端・後端の露光はある一定時間にとどまり、パターン中央部においてはパルス分割による露光を行うものである（Ｄ−２）。つまりパターン前端・後端は（Ｃ）の状態で露光するものの、中央部の露光はパルス露光により平均的な露光量を制御することで理想的なパルス幅Ｗを得るものであり（Ｄ−１）、結果として得られる再生信号は（Ｄ−３）に示すように再生信号振幅も大きくパターンの前後の立上り・立下り傾斜も良好に得られる。
【００４７】
図９（Ｄ）における露光量の制御はパルス分割による例を示した。このときパターンの前端・後端のみパルス分割幅を中央部のパルス分割幅より広くして露光すると再生信号振幅の立上り・立下り傾斜をより急峻にする等の制御が行えるため、必ずしも同一パルス幅に分割する必要はない。また露光量の制御手段としては、パルス分割の他にパターンの領域毎に露光強度を変化させて行うこともできる。例えばパターンの中央部のみ前端・後端部の露光強度を低下させて露光させても同様の結果が得られる。
【００４８】
以上説明したように、ＢＣＡのパターン露光において露光手段としてパルス分割したり、パターン部位ごとの露光強度調整によって再生信号に歪がなく振幅の大きい再生信号を得ることができる。
【図面の簡単な説明】
【００４９】
【図１】本発明における塗布型色素系光ディスクの構造を示す図である。
【図２】本発明実施例１におけるＢＣＡ近傍のレイアウト例である。
【図３】ＢＣＡ及びテスト領域の（Ａ）溝／（Ｂ）ピットパターン例である。
【図４】本発明におけるＢＣＡ情報記録での感度補正フローである。
【図５】ＢＣＡライターのビームスポットとＢＣＡ情報の関係である。
【図６】ＢＣＡ及びテスト領域に記録したＢＣＡ情報の再生波形である。
【図７】本発明における相変化型書替光ディスクの構造を示す図である。
【図８】本発明におけるＢＣＡライターの概略構成図である。
【図９】本発明におけるＢＣＡ情報記録時の露光状態を説明する図である。
【符号の説明】
【００５０】
１１１    塗布型色素記録膜用基板
１１２、１５２    ダミー基板
１１４    塗布型色素記録膜
１１７、１５７    反射膜
１１９    紫外線硬化樹脂保護層
１２０、１５７    接着剤層
１２１    テスト領域
１２２    バーストカッティングエリア（ＢＣＡ）
１５１    書替型記録膜用基板
１５３、１５５    誘電体保護膜
１５４    書替型記録膜
【図１】
2006134393.tif 000004
【図２】
2006134393.tif 000005
【図３】
2006134393.tif 000006
【図４】
2006134393.tif 000007
【図５】
2006134393.tif 000008
【図６】
2006134393.tif 000009
【図７】
2006134393.tif 000010
【図８】
2006134393.tif 000011
【図９】
2006134393.tif 000012